(57)【要約】【課題】光源特性が適していないホワイトバランス調整に基づいて被写体像を表示することを防止する。【解決手段】プロセッサ２０内のＲＯＭ２７にランプ２４の特性を示すランプデータを格納する。そして、ビデオスコープ１０がプロセッサ２０に接続されると、ビデオスコープ１０内のＥＥＰＲＯＭ１４に格納された、前回ホワイトバランス調整時において使用されたプロセッサのランプデータを読み出す。システムコントロール回路３６は、ランプ２４の特性を示すランプデータとビデオスコープ１０から送信されたランプデータとに基づいて、ランプの種類が一致するが否かを判断する。ランプ２４の種類が一致しない場合、内視鏡作業を進行させないため、被写体像の一部のみをモニタ５２に表示する。【選択図】        図１
2004321511.tif 000002
【特許請求の範囲】
【請求項１】
撮像素子を有するビデオスコープと前記ビデオスコープが接続されるプロセッサとを備えた電子内視鏡装置であって、
被写体を照明するための光源と、
前記ビデオスコープ内に設けられ、前記撮像素子に形成される被写体像に応じた画像信号に対しホワイトバランス調整処理を実行する信号処理手段と、
前記光源から放射される光の分光分布特性に従って、前記光源の種類を判別する光源判別手段と、
前記光源の種類が前回ホワイトバランス調整時に使用された前回使用光源の種類と異なる場合、ホワイトバランス調整が実行されるまで内視鏡作業を進行させない作業進行停止手段と
を備えたことを特徴とする電子内視鏡装置。
【請求項２】
作業進行停止手段が、ホワイトバランス調整の必要性を示すマスク表示と被写体像を全体的に表示する通常表示とを切換可能な映像表示制御手段を有することを特徴とする請求項１に記載の電子内視鏡装置。
【請求項３】
前記映像表示制御手段が、画面上で被写体像の一部のみを表示させることを特徴とする請求項２に記載の電子内視鏡装置。
【請求項４】
前記映像表示制御手段が、ホワイトバランス調整の実行開始を促すように文字情報を表示することを特徴とする請求項２に記載の電子内視鏡装置。
【請求項５】
ホワイトバランス調整が完了したか否かを判別するホワイトバランス完了判別手段をさらに有し、
前記映像表示制御手段が、ホワイトバランス調整されると被写体像を通常表示することを特徴とする請求項２に記載の電子内視鏡装置。
【請求項６】
前記映像表示制御手段が、前記前回使用光源の種類と等しい場合には被写体像を通常表示することを特徴とする請求項２に記載の電子内視鏡装置。
【請求項７】
前記プロセッサが、前記光源の分光分布特性に応じた光源データを前記ビデオスコープへ送信する光源データ送信手段を有し、
前記ビデオスコープが、前記光源データを格納可能なスコープメモリを有することを特徴とする請求項１に記載の電子内視鏡装置。
【請求項８】
前記光源判別手段が、前記ビデオスコープが接続された時に前回ホワイトバランス調整時の光源の種類と一致しているか否かを判断することを特徴とする請求項１に記載の電子内視鏡装置。
【請求項９】
撮像素子を有するとともにホワイトバランス調整処理を実行可能なビデオスコープと接続される電子内視鏡装置のプロセッサであって、
被写体を照明するための光源と、
前記光源から放射される光の分光分布特性に従って、前記光源の種類を判別する光源判別手段と、
前記光源の種類が前回ホワイトバランス調整時に使用された前回使用光源の種類と異なる場合、ホワイトバランス調整が実行されるまで内視鏡作業を進行させない作業進行停止手段と
を備えたことを特徴とする電子内視鏡装置のプロセッサ。
【請求項１０】
請求項９に記載されたプロセッサに接続される電子内視鏡装置のビデオスコープであって、
被写体像に応じた画像信号を発生させる撮像素子と、
前記撮像素子に形成される被写体像に応じた画像信号に対しホワイトバランス調整処理を実行する信号処理手段と
を備えたことを特徴とする電子内視鏡装置のビデオスコープ。
【請求項１１】
撮像素子を有するとともにホワイトバランス調整処理を実行可能なビデオスコープと前記ビデオスコープが接続されるプロセッサとを備えた電子内視鏡装置における映像表示制御装置であって、
被写体を照明するための光源から放射される光の分光分布特性を検出する分光分布特性検出手段と、
検出された分光分布特性が前回ホワイトバランス調整時の分光分布特性と異なる場合、ホワイトバランス調整が実行されるまでホワイトバランス調整の必要性を示すマスク表示を実行する映像表示制御手段と
を備えたことを特徴とする内視鏡用映像表示制御装置。
【請求項１２】
撮像素子を有するとともにホワイトバランス調整処理を実行可能なビデオスコープと前記ビデオスコープが接続されるプロセッサとを備えた電子内視鏡装置における映像表示制御方法であって、
被写体を照明するための光源から放射される光の分光分布特性を検出し、
検出された分光分布特性が前回ホワイトバランス調整時の分光分布特性と異なる場合、ホワイトバランス調整が実行されるまでホワイトバランス調整の必要性を示すマスク表示を実行することを特徴とする内視鏡用映像表示制御方法。
【請求項１３】
撮像素子を有するとともにホワイトバランス調整処理を実行可能なビデオスコープと前記ビデオスコープが接続されるプロセッサとを備えた電子内視鏡装置における映像表示制御に関するプログラムであって、
被写体を照明するための光源から放射される光の分光分布特性を検出する分光分布特性検出手段と、
検出された分光分布特性が前回ホワイトバランス調整時の分光分布特性と異なる場合、ホワイトバランス調整が実行されるまでホワイトバランス調整の必要性を示すマスク表示を実行する映像表示制御手段と
を機能させることを特徴とするプログラム。
【発明の詳細な説明】
【０００１】
【発明の属する技術分野】
本発明は、撮像素子を有するビデオスコープおよびビデオスコープが接続されるプロセッサを備えた電子内視鏡装置に関し、特に、被写体像の色を適正に再現するためのホワイトバランス調整に関する。
【０００２】
【従来の技術】
従来の電子内視鏡装置では、観察部位のカラー画像を適正に再現するため、観察前にホワイトバランス調整が行われる（例えば、特許文献１参照）。具体的には、ビデオスコープを介して白い被写体（白色ボートなど）を撮影し、原色に応じたＲ，Ｇ，Ｂ画像信号のＲ，Ｇ，Ｂの比が１：１：１となるようにＲ，Ｂのゲイン値が調整される。ホワイトバランス調整は光源の色温度、すなわち分光分布特性に従って実行され、例えば、ハロゲンランプ、メタルハライドランプ、キセノンランプそれぞれの光源特性に応じてＲ、Ｂゲイン値が調整される。
【０００３】
【特許文献１】
特開平６−１４２０３８号公報（図１１〜図１６）
【０００４】
【発明が解決しようとする課題】
ビデオスコープは同種類あるいは多種類のプロセッサに接続可能である。したがって、ホワイトバランス調整されて内視鏡作業が行われた後、前回とは特性の異なる光源を備えたプロセッサへビデオスコープが新たに接続された場合、Ｒ，Ｂゲイン値がその光源に対し適正でないため、被写体像の色再現性が悪化する。その結果、適正に部位を観察することができず、診断、処置、手術等に悪影響を及ぼす。
【０００５】
そこで本発明では、光源特性に対応していないホワイトバランス調整に基づいて被写体像を表示することを防止する電子内視鏡装置等を得ることを目的とする。
【０００６】
【課題を解決するための手段】
本発明の電子内視鏡装置は、撮像素子を有するビデオスコープとビデオスコープが接続されるプロセッサとを備えた電子内視鏡装置であって、被写体を照明するための光源と、ビデオスコープ内に設けられ、撮像素子に形成される被写体像に応じた画像信号に対しホワイトバランス調整処理を実行する信号処理手段とを備える。例えば、信号処理手段は、原色に対応するＲ，Ｇ，Ｂ画像信号のＲ，Ｇ，Ｂの比が１：１：１となるようにＲ、Ｂゲイン値を調整する。一度ホワイトバランス調整が行われると、設定されたＲ，Ｂゲイン値に基づいて画像信号に対しゲインコントロールが施される。
【０００７】
さらに電子内視鏡装置は、光源判別手段と、作業進行停止手段とを備える。光源判別手段は、光源から放射される光の分光分布特性に従って分類される光源の種類を判別する。ただし、光の分光分布特性は、光の波長に関するスペクトル（エネルギー）分布を表す。例えば、ハロゲンランプ、メタルハライドランプ、キセノンランプが光源として使用可能である場合、光源判別手段は、いずれのランプであるか判別する。作業進行停止手段は、光源の種類が前回ホワイトバランス調整時に使用された前回使用光源の種類と異なる場合、ホワイトバランス調整が実行されるまで内視鏡作業を進行させない。ホワイトバランス調整されると、被写体像はそのまま通常表示させればよい。
【０００８】
オペレータは内視鏡作業を進行することができないため、必然的にホワイトバランス調整が胃など部位の観察前に実行される。これにより、異なる光源の分光分布特性に従ったホワイトバランス調整に基づいて被写体像を表示することが防止され、被写体像の色が忠実に再現された状態で処置、手術等が確実に行われる。
【０００９】
オペレータにホワイトバランス調整の必要性を確実に報知するためには、被写体像の表示方法を設定変更するのがよい。そのため、作業進行停止手段は、ホワイトバランス調整の必要性を示すマスク表示と被写体像を全体的に表示する通常表示とを切換可能な映像表示制御手段を有することが好ましい。例えば映像表示制御手段は、画面上で観察に支障が出るように被写体像の一部のみを表示させる。また、映像だけでなく文字情報によってもホワイトバランス調整の必要性を報知するため、映像表示制御手段は、ホワイトバランス調整の実行開始を促すように文字情報を表示することが好ましい。
【００１０】
ホワイトバランスが調整された後自動的に被写体像を通常表示させるため、電子内視鏡装置は、ホワイトバランス調整が完了したか否かを判別するホワイトバランス完了判別手段をさらに有することが好ましい。この場合、映像表示制御手段は、ホワイトバランス調整が完了されると被写体像を通常表示に切り替える。
【００１１】
前回ホワイトバランス調整時に使用された光源の種類と等しい場合にはホワイトバランス調整を再度行う必要がないため、映像表示制御手段は、前回使用光源の種類と等しい場合には被写体像をそのまま通常表示することが好ましい。
【００１２】
前回のホワイトバランス調整の種類を検知するため、例えば、プロセッサは、光源の分光分布特性に応じた光源データをビデオスコープへ送信する光源データ送信手段を有することが好ましい。ビデオスコープは、光源データを格納可能なスコープメモリを有する。光源データがスコープメモリに格納されると、次回のホワイトバランス調整時にはその光源データが前回ホワイトバランス調整時の光源の種類を示すデータとして使用される。
【００１３】
ビデオスコープをプロセッサに接続した時にホワイトバランス調整を実行させるため、光源判別手段は、ビデオスコープが接続された時に前回ホワイトバランス調整時の光源の種類と一致しているか否かを判断することが好ましい。光源の種類が異なる場合、オペレータはビデオスコープ接続後すぐにホワイトバランス調整を行う。
【００１４】
本発明の電子内視鏡装置のプロセッサは、撮像素子を有するとともにホワイトバランス調整処理を実行可能なビデオスコープと接続される電子内視鏡装置のプロセッサであって、被写体を照明するための光源と、光源から放射される光の分光分布特性に従って、光源の種類を判別する光源判別手段と、光源の種類が前回ホワイトバランス調整時に使用された前回使用光源の種類と異なる場合、ホワイトバランス調整が実行されるまで内視鏡作業を進行させない作業進行停止手段とを備えたことを特徴とする。また、本発明の電子内視鏡装置のビデオスコープは、このようなプロセッサに接続可能なビデオスコープであって、被写体像に応じた画像信号を発生させる撮像素子と、撮像素子に形成される被写体像に応じた画像信号に対しホワイトバランス調整処理を実行する信号処理手段とを備えたことを特徴とする。
【００１５】
本発明の内視鏡用映像表示制御装置は、撮像素子を有するとともにホワイトバランス調整処理を実行可能なビデオスコープとビデオスコープが接続されるプロセッサとを備えた電子内視鏡装置における映像表示制御装置であって、被写体を照明するための光源から放射される光の分光分布特性を検出する分光分布特性検出手段と、検出された分光分布特性が前回ホワイトバランス調整時の分光分布特性と異なる場合、ホワイトバランス調整の必要性を示すマスク表示を実行する映像表示制御手段とを備えたことを特徴とする。
【００１６】
本発明の内視鏡用映像表示制御方法は、撮像素子を有するとともにホワイトバランス調整処理を実行可能なビデオスコープとビデオスコープが接続されるプロセッサとを備えた電子内視鏡装置における映像表示制御方法であって、被写体を照明するための光源から放射される光の分光分布特性を検出し、検出された分光分布特性が前回ホワイトバランス調整時の分光分布特性と異なる場合、ホワイトバランス調整の必要性を示すマスク表示を実行することを特徴とする。
【００１７】
本発明のプログラムは、撮像素子を有するとともにホワイトバランス調整処理を実行可能なビデオスコープとビデオスコープが接続されるプロセッサとを備えた電子内視鏡装置における映像表示制御に関するプログラムであって、被写体を照明するための光源から放射される光の分光分布特性を検出する分光分布特性検出手段と、検出された分光分布特性が前回ホワイトバランス調整時の分光分布特性と異なる場合、ホワイトバランス調整の必要性を示すマスク表示を実行する映像表示制御手段とを機能させることを特徴とする。
【００１８】
【発明の実施の形態】
以下では、図面を参照して本発明の実施形態である電子内視鏡装置について説明する。
【００１９】
図１は、本実施形態である電子内視鏡装置のブロック図である。
【００２０】
電子内視鏡装置は、ＣＣＤ１２を有するビデオスコープ１０と、ＣＣＤ１２から読み出される画像信号を処理するプロセッサ２０とを備える。ビデオスコープ１０はプロセッサ２０に着脱自在に接続され、プロセッサ２０にはモニタ５２とともにキーボード５０が接続される。手術、検査等を開始する時、ビデオスコープ１０がプロセッサ２０に接続される。
【００２１】
ランプ制御部１１Ａを含むランプ電源１１からランプ２４へ電源供給されると、ランプ２４が点灯する。ランプ２４から放射された光は、集光レンズ（図示せず）、絞り２２を介してビデオスコープ１０内に設けられた光ファイバー束１３の入射端１３ａに入射する。光ファイバー束１３は、ランプ２４から放射される光を観察部位のあるビデオスコープ１０の先端側へ伝達し、光ファイバー束１３を通った光は出射端１３ｂから出射する。これにより、観察部位に光が照射される。
【００２２】
観察部位で反射した光は、対物レンズ（図示せず）、カラーフィルタ（図示せず）を通ってＣＣＤ１２の受光面に到達し、これにより観察部位の被写体像がＣＣＤ１２の受光面に形成される。本実施形態では撮像方式として単板式が適用されており、ＣＣＤの受光面の上にはレッド（Ｒ）、グリーン（Ｇ）、ブルー（Ｂ）の色要素からなる原色のカラーフィルタ（図示せず）が配設されている。ＣＣＤ１２では、カラーフィルタを通る色に応じた被写体像の画像信号が光電変換により発生し、所定時間間隔ごとに１フレームもしくは１フィールド分の画像信号が順次読み出される。ここではカラーテレビジョン方式としてＮＴＳＣ方式が適用されており、１／３０（１／６０）秒間隔ごとに１フレーム（１フィールド）分の画像信号が順次読み出され、初期信号処理回路１９へ送られる。
【００２３】
初期信号処理回路１９では、読み出された画像信号に対して増幅処理が施されるとともに、アナログ信号からデジタル信号に変換される。そして、ホワイトバランス調整に基づくゲインコントロール、ガンマ補正など様々な処理がデジタル画像信号に対して施され、輝度信号Ｙ、色差信号Ｃｂ、Ｃｒが生成される。輝度信号Ｙおよび色差信号Ｃｂ、Ｃｂは、プロセッサ２０の回路２８へ送られる。また、輝度信号Ｙは光量調整のためプロセッサ２０のシステムコントロール回路３６、ペリフェラルコントロール回路３５へ送られる。
【００２４】
プロセッサ信号処理回路２８に送られた輝度信号Ｙ、色差信号Ｃｂ、Ｃｒは、ＮＴＳＣ信号などの映像信号に変換され、モニタ５２へ出力される。これにより、被写体像がモニタ５２にリアルタイムで表示される。
【００２５】
ＣＰＵ２６を含むシステムコントロール回路３６はプロセッサ２０全体を制御し、モニタ５２への映像表示制御やタイミングコントロール回路４２などの各回路に制御信号を出力する。また、システムコントロール回路３６内のＲＯＭ２７には、ランプ２４の特性に関するデータが格納されているとともに、プロセッサ２０全体の制御に関するプログラムが格納されている。タイミングコントロール回路４２では、信号処理タイミングを調整するクロックパルスがプロセッサ２０内の各回路に出力され、また、映像信号に付加される同期信号がプロセッサ信号処理回路２８に送られる。
【００２６】
ライトガイド１３の入射端１３ａと集光レンズとの間に設けられた絞り２２は、被写体に照射する光量を調整するため開閉し、システムコントロール回路３６からペリフェラルコントロール回路３５へ制御信号が送られると、絞り２２を所定量駆動するため駆動信号が絞り２２へ出力される。その結果、被写体へ照射される光の光量が調整される。
【００２７】
ビデオスコープ１０内には、ビデオスコープ１０全体を制御するスコープ制御部１５と、ビデオスコープ１０の特性およびホワイトバランス調整に関するデータがあらかじめ記憶されたＥＥＰＲＯＭ１４が設けられている。スコープ制御部１５は、初期信号処理回路１９に対して制御信号を送るとともに、適宜ＥＥＰＲＯＭ１４からデータを読み出す。ビデオスコープ１０がプロセッサ２０に接続されている間、スコープ制御部１５とシステムコントロール回路３６との間でデータが相互に伝送され、スコープ特性およびホワイトバランス調整に関するデータがプロセッサ２０のシステムコントロール回路３６へ送られるとともに、プロセッサ２０のランプ特性に関するデータがスコープ制御部１５へ送られる。ビデオスコープ１０から送信されたデータはシステムコントロール回路３６内のＲＡＭ２５に格納され、プロセッサ２０から送信されたデータはビデオスコープ１０内のＥＥＰＲＯＭ１４に格納される。
【００２８】
プロセッサ２０のフロントパネル７０には、ホワイトバランス調整スイッチ７０Ａが設けられており、白色の被写体ＷＷをビデオスコープ１０の先端部へ配置させてホワイトバランス調整スイッチ７０Ａを操作すると、ホワイトバランス調整が実行される。すなわち、初期信号処理回路１９においてＲ，Ｇ，Ｂ信号のＲ，Ｂゲイン値が定められる。ホワイトバランス終了後、設定されたＲ，Ｂゲイン値に基づいてゲインコントロール処理が画像信号に対して施される。これにより、色再現性の良好な被写体像がモニタ５２に表示される。
【００２９】
キーボード５０が操作されると、その操作に応じた信号がシステムコントロール回路３６へ送られ、その信号に基づいてＣＲＴＣ（ＣＲＴコントローラ）４３へ制御信号が送られる。そして、キー操作に応じたキャラクタ信号がＣＲＴＣ４３からプロセッサ信号処理回路２８へ送られ、映像信号にスーパーインポーズされる。これにより、被写体像とともに文字情報がモニタ５２に表示される。
【００３０】
図２は、プロセッサ２０のメインルーチンを示した図である。プロセッサ２０の電源がＯＮになると、メインルーチンが開始される。
【００３１】
ステップＳ１０１では、パラメータなどの初期化が施される。このとき、ホワイトバランスデータＷＢの値が０に設定される。ホワイトバランスデータＷＢは、ホワイトバランス調整が実行されか否か確認するためのデータであり、実行されている場合は「１」、実行されていない場合は「０」に設定される。そして、ステップＳ１０２では、キーボード５０に関連した処理など様々な処理（通常処理）が施される。電源がＯＦＦになるまで繰り返しステップＳ１０２が実行される。
【００３２】
図３は、ビデオスコープ１０の接続に関連した処理の割り込みルーチンを示す図であり、図４は、モニタ５２の表示画面を示した図である。この割り込みルーチンは、所定の時間間隔でメインルーチンに割り込んで処理を行う。図３、図４を用いて、ホワイトバランス調整に関する映像制御処理について説明する。
【００３３】
ステップＳ２０１では、ビデオスコープ１０がプロセッサ２０に接続されているか否かが判断される。ビデオスコープ１０が接続されていないと判断されるとステップＳ２１０へ進む。ステップＳ２１０ではホワイトバランスデータＷＢが０に設定され、割り込みルーチンはそのまま終了する。一方、ステップＳ２０１においてビデオスコープ１０が接続されていると判断された場合、ステップＳ２０２へ進む。
【００３４】
ステップＳ２０２では、ホワイトバランスデータＷＢが０であるか否かが判断される。すなわち、ホワイトバランス調整がいまだ実行されていないか否か判断される。ホワイトバランスデータＷＢが０ではない、すなわちホワイトバランス調整はすでに行われたと判断された場合、このルーチンはそのまま終了する。一方、ホワイトバランスデータＷＢが０である、すなわちホワイトバランス調整がいまだ実行されていないと判断された場合、ステップＳ２０３へ進む。
【００３５】
ステップ２０３では、ホワイトバランス調整に関する前回ランプデータおよびスコープデータがＥＥＰＲＯＭ１４から読み出されたか否かが判断される。前回ランプデータは、ビデオスコープ１０が前回ホワイトバランス調整した際にＥＥＰＲＯＭ１４に記憶されたデータであり、前回のホワイトバランス調整時のランプ特性、すなわち前回使用されたプロセッサ内に設けられた光源の特性を示すデータとしてＥＥＰＲＯＭ１４に格納されている。前回ランプデータおよびスコープデータの読出しが完了していると判断されると、このまま割り込みルーチンは終了する。一方、前回ランプデータおよびスコープデータの読出しが完了していないと判断された場合、ステップＳ２０４へ進む。
【００３６】
ステップＳ２０４では、スコープデータとともに前回ランプデータがビデオスコープ１０のＥＥＰＲＯＭ１４から読み出される。そして、ステップＳ２０５では、プロセッサ２０内のランプ２４に応じたランプ特性を示すランプデータが前回ランプデータと一致するか否かが判断される。
【００３７】
ステップＳ２０５においてランプデータが前回ランプデータと等しい、すなわち、前回ホワイトバランス調整した時のランプ特性とランプ２４のランプ特性とが等しいと判断された場合、ステップＳ２０６へ進み、ホワイトバランスデータ設定処理が実行されるとともに、ホワイトバランスデータＷＢが「１」に設定される。すなわち、あらかじめＥＥＰＲＯＭ１４に前回使用時のランプデータと関連付けられて記憶されていたＲ、Ｂゲイン値がそのまま設定される。そして、ステップＳ２０７では、通常表示として被写体像がモニタ５２の画面全体に表示される（図４参照）。ステップＳ２０７が実行されると、割り込みルーチンは終了する。
【００３８】
一方、ステップＳ２０５においてランプデータが前回ランプデータに等しくない、すなわち前回ホワイトバランス調整した時のランプ特性がプロセッサ２０のランプ２４のランプ特性と異なる場合、ステップＳ２０８へ進む。ステップＳ２０８では、オペレータにホワイトバランス調整の実行を促す表示を促す文字情報をモニタ５２に表示するため、システムコントロール回路３６からＣＲＴＣ４３へ制御信号が出力される。ＣＲＴＣ４３では、対応するキャラクタ信号が出力される。これにより、文字情報「ｗｈｉｔｅ  ｂａｌａｎｃｅ  ｒｅｑｕｉｒｅｄ」がモニタ５２に表示される。そして、ステップＳ２０９では、被写体像の一部のみモニタ５２へ表示するようにマスク処理が施される（図４参照）。すなわち、領域ＩＲ内に被写体像の一部が表示されるように、ＣＲＴＣ４３においてマスク表示に応じたキャラクタ信号が出力され、映像信号にスーパーインポーズされる。ステップＳ２０９が実行されると、割り込みルーチンは終了する。
【００３９】
図５は、ホワイトバランス調整処理ルーチンを示した図である。オペレータがホワイトバランス調整実行スイッチ７０Ａを操作するとルーチンが開始される。
【００４０】
ステップＳ３０１では、ホワイトバランス調整を実行開始するためのコマンドがビデオスコープ１０へ送信される。そして、ステップＳ３０２では、プロセッサ２０のランプデータがビデオスコープ１０へ送信され、ＥＥＰＲＯＭ１４に格納される。初期信号処理回路１９では、白色被写体ＷＷの撮影による画像信号に対してホワイトバランス調整処理が実行され、Ｒ、Ｂゲイン値が定められる。Ｒ，Ｂゲイン値が定められると、ホワイトバランス調整終了を知らせるデータがプロセッサ２０へ送信される。なお、送信されたランプデータは、次回のホワイトバランス調整時には前回ランプデータとして使用される。また、ホワイトバランス調整により定められたＲ，Ｂゲイン値は、送信されたランプデータと関連付けられてＥＥＰＲＯＭ１４に記憶される。
【００４１】
ステップＳ３０３では、ホワイトバランス終了を知らせるデータがビデオスコープ１０から送信されてきているか検知しており、データが送信されてきたと判断されると、ホワイトバランス調整終了のためホワイトバランスデータＷＢが１に設定される。そして、ステップＳ３０４では、マスク表示から通常表示へ切り替えるため、システムコントロール回路３６からＣＲＴＣ４３へ制御信号が送られる。これにより、被写体像がモニタ５２の画面全体に通常表示される。
【００４２】
このように本実施形態によれば、プロセッサ２０内のＲＯＭ２７にランプ２４の特性を示すランプデータが格納されるとともに、ビデオスコープ１０内のＥＥＰＲＯＭ１４に前回ホワイトバランス調整時において使用されたプロセッサのランプデータが格納されている。そして、ビデオスコープ１０がプロセッサ２０に接続されると、ランプ２４の特性を示すランプデータとビデオスコープ１０から送信されたランプデータとに基づいて、ランプの種類が一致するが否かが判断される（Ｓ２０５）。ランプ２４の種類が一致しない場合、被写体像の一部のみがモニタ５２に表示され（Ｓ２０９）、オペレータは内視鏡作業を進行することができなくなる。ホワイトバランス調整実行スイッチ７０Ａが操作されると、ランプ２４のランプデータがビデオスコープ１０へ送信される。そして、初期信号処理回路１９では、送信されたランプデータに基づいてＲ，Ｇ，Ｂ信号のＲ，Ｂゲイン値が調整され、ホワイトバランス調整が完了すると被写体像が通常表示される。一方、光源の種類が同じ場合、そのまま被写体像が表示される（Ｓ２０７）。
【００４３】
このように光源の種類が異なると、内視鏡作業を進行させないように映像表示するため、色再現性の悪い被写体像を観察しながら、処置等を行うことを防ぐことができる。また、使用時間に関らず分光分布特性がほとんど変わらないランプを続けて使用する場合、ホワイトバランス調整することなく被写体像がそのまま表示され、内視鏡の作業効率が上がる。
【００４４】
なお、図４に示したマスク表示に限定されず、ビデオスコープ１０の捉えた像を映し出していることは確認できるが、被写体像の観察（内視鏡作業）に支障を来たし、内視鏡作業を進行させることができないような映像を表示すればよい。あるいは、映像表示に限定されず、内視鏡作業を進行できなくするような（大音量のブザーを鳴らす、ビデオスコープの操作部材が操作不能になるなど）手段を適用してもよい。
【００４５】
メタルハライドランプの場合、使用時間に応じて分光分布特性が多少変化する。そのため、スコープ接続時に分光分布特性を検出する手段を設け、前回の分光分布特性と実質的に同じであるか否かを判断するように構成してもよい。あるいは、スコープ接続のたびにホワイトバランス調整を促すようにマスク表示をしてもよい。
【００４６】
なお、本実施形態ではビデオプロセッサ２０は光源部と信号処理部とが一体的に構成されているが、光源部と信号処理部とが独立してユニット化される構成にしてもよい。
【００４７】
【発明の効果】
以上のように本発明によれば、光源特性が適していないホワイトバランス調整に基づいて被写体像を表示することを防止することができる。
【図面の簡単な説明】
【図１】本実施形態である電子内視鏡装置のブロック図である。
【図２】プロセッサのメインルーチンを示した図である。
【図３】ビデオスコープの接続に関連した処理の割り込みルーチンを示す図である。
【図４】モニタの表示画面を示した図である。
【図５】ホワイトバランス調整処理ルーチンを示した図である。
【符号の説明】
１０  ビデオスコープ
１２  ＣＣＤ（撮像素子）
１４  ＥＥＰＲＯＭ（スコープメモリ）
１９  初期信号処理回路（信号処理手段）
２０  プロセッサ
２４  ランプ（光源）
【図１】
2004321511.tif 000003
【図２】
2004321511.tif 000004
【図３】
2004321511.tif 000005
【図４】
2004321511.tif 000006
【図５】
2004321511.tif 000007